(57)【要約】【課題】  順次同報機能を備えたファクシミリ装置において、送信側ファクシミリ装置と受信側の各ファクシミリ装置で時計のずれがあると印字時刻の指定を行っても、同時刻に出力されずにずれが生じてしまう。【解決手段】  本発明のファクシミリ装置では、画像受信後に待機時間を設定し、待機時間後に記録出力をする方式をとり、複数の受信装置の最終受信装置での受信終了時間をデータのサイズ、受信先の数、通信速度、通信プロトコルなどから推定して、最終受信信先の通信終了時間と各受信先の受信時とのずれから待機時間を設定することにより問題を解決した。  また、送信元と受信先との時計のずれを検知してその差分だけ出力時刻を補正して設定する方法や、内部時計を補正する方法によっても解決した。【選択図】図２
2008109246.tif 000002
【特許請求の範囲】
【請求項１】
複数のファクシミリ装置に対して順次同一データを配信する順次同報機能を備えたファクシミリ装置において、
前記ファクシミリ装置がデータの送信側となる際に、受信側のファクシミリ装置がデータを受信してから所定の時間待機後に記録出力を行うよう送信信号中に指定する出力待機時間指定手段と、
前記ファクシミリ装置がデータの受信側となる際に、一旦受信データを保持して、前記出力待機時間指定手段で指定された時間、待機してから記録出力を行う指定時間出力待機手段と、を有する
ことを特徴とするファクシミリ装置。
【請求項２】
請求項１のファクシミリ装置であって、
前記出力待機時間指定手段は、複数の送信先の最終送信先への送信終了後に前記複数の送信先での同時記録出力を行うように、各送信先への記録出力までの待機時間を設定する
ことを特徴とするファクシミリ装置。
【請求項３】
請求項２のファクシミリ装置であって、
前記各送信先への記録出力までの待機時間をデータの量、通信先の数、通信速度、通信プロトコルを基に計算して設定する
ことを特徴とするファクシミリ装置。
【請求項４】
複数のファクシミリ装置に対して順次同一データを配信する順次同報機能を備えたファクシミリ装置において、
前記ファクシミリ装置がデータの送信側となる際に、送信元ファクシミリ装置と受信先のファクシミリ装置の内部時計の時刻のずれを検知する、時刻ずれ検知手段を有し、
そのずれを考慮に入れて、各受信先での記録出力が同時となるように記録出力時刻を指定する出力時刻指定手段と
前記ファクシミリ装置がデータの受信側となる際に、一旦受信データを保持して、前記出力時刻指定手段で指定された時間に記録出力を行う指定時刻出力手段と、を有する
ことを特徴とするファクシミリ装置。
【請求項５】
複数のファクシミリ装置に対して順次同一データを配信する順次同報機能を備えたファクシミリ装置において、
送信元ファクシミリ装置と受信先のファクシミリ装置の内部時計の時刻のずれを合わせるように補正する、時刻ずれ補正手段を有し、
各受信先への記録出力時刻を同一に指定する出力時刻指定手段と
前記ファクシミリ装置がデータの受信側となる際に、一旦受信データを保持して、前記出力時刻指定手段で指定された時間に記録出力を行う指定時刻出力手段と、を有する
ことを特徴とするファクシミリ装置。
【発明の詳細な説明】
【技術分野】
【０００１】
順次同報機能を備えたファクシミリ装置において、順次同報機能により送受信されたファクシミリデータの同時出力を可能とする技術に関するファクシミリ装置。
【背景技術】
【０００２】
ファクシミリ装置においては、同一の画像データを複数のファクシミリ端末に送信する同報送信機能がある（特許文献１参照）。
【０００３】
しかし、この方法では、複数のファクシミリ端末に対して同一の画像データを順次送信する場合には、先に受信したファクシミリ端末と後に受信したファクシミリ端末では、画像出力の時間差ができてしまい、情報通知の同時性を確保することができなかった。
【０００４】
そこで、送信画像データの宛先別に送信側端末から記録出力時刻を指定し、複数のファクシミリ端末で前記指定された記録出力時刻に同時に記録出力することにより同時性を確保する方法がある（特許文献２参照）。
【０００５】
しかし、この方法では、送信側ファクシミリ端末と受信側の各ファクシミリ端末で装置の内部時計のずれがあると、出力時刻がずれてしまう問題があった。
【０００６】
【特許文献１】特開昭６２−３９９６６号公報
【特許文献２】特許３２９８６６１号公報
【発明の開示】
【発明が解決しようとする課題】
【０００７】
解決しようとする問題点は、順次同報機能を備えたファクシミリ装置において、送信側ファクシミリ装置と受信側の各ファクシミリ装置で時計のずれがあると同時出力を時間のずれなしに行うということができない点である。
【課題を解決するための手段】
【０００８】
本発明のファクシミリ装置は、複数のファクシミリ装置に対して順次同一データを配信する順次同報機能を備えたファクシミリ装置において、前記ファクシミリ装置がデータの送信側となる際に、受信側のファクシミリ装置がデータを受信してから所定の時間待機後に記録出力を行うよう送信信号中に指定する出力待機時間指定手段と、前記ファクシミリ装置がデータの受信側となる際に、一旦受信データを保持して、前記出力待機時間指定手段で指定された時間待機してから記録出力を行う指定時間出力待機手段とを有することを最も主要な特徴とする。
【０００９】
また、本発明のファクシミリ装置は、複数のファクシミリ装置に対して順次同一データを配信する順次同報機能を備えたファクシミリ装置において、前記ファクシミリ装置がデータの送信側となる際に、送信元ファクシミリ装置と受信先のファクシミリ装置の内部時計の時刻のずれを検知する、時刻ずれ検知手段を有し、そのずれを考慮に入れて、各受信先での記録出力が同時となるように記録出力時刻を指定する出力時刻指定手段と前記ファクシミリ装置がデータの受信側となる際に、一旦受信データを保持して前記出力時刻指定手段で指定された時間に記録出力を行う指定時刻出力手段とを有することを特徴とする。
【００１０】
また、本発明のファクシミリ装置は、複数のファクシミリ装置に対して順次同一データを配信する順次同報機能を備えたファクシミリ装置において、送信元ファクシミリ装置と受信先のファクシミリ装置の内部時計の時刻のずれを合わせるように補正する、時刻ずれ補正手段を有し、各受信先への記録出力時刻を同一に指定する出力時刻指定手段と前記ファクシミリ装置がデータの受信側となる際に、一旦受信データを保持して、前記出力時刻指定手段で指定された時間に記録出力を行う指定時刻出力手段とを有することを特徴とする。
【発明の効果】
【００１１】
本発明のファクシミリ装置は、複数のファクシミリ装置に対して順次同一データを配信する順次同報機能を備えたファクシミリ装置において、前記ファクシミリ装置がデータの送信側となる際に、受信側のファクシミリ装置がデータを受信してから所定の時間待機後に記録出力を行うよう送信信号中に指定する出力待機時間指定手段と、前記ファクシミリ装置がデータの受信側となる際に、一旦受信データを保持して、前記出力待機時間指定手段で指定された時間待機してから記録出力を行う指定時間出力待機手段とを有することを最も主要な特徴とするため、送信側ファクシミリ装置と受信側の各ファクシミリ装置で時計のずれがあっても同時出力を行うことが可能となった。
【００１２】
また、本発明のファクシミリ装置は、複数のファクシミリ装置に対して順次同一データを配信する順次同報機能を備えたファクシミリ装置において、前記ファクシミリ装置がデータの送信側となる際に、送信元ファクシミリ装置と受信先のファクシミリ装置の内部時計の時刻のずれを検知する、時刻ずれ検知手段を有し、そのずれを考慮に入れて、各受信先での記録出力が同時となるように記録出力時刻を指定する出力時刻指定手段と前記ファクシミリ装置がデータの受信側となる際に、一旦受信データを保持して前記出力時刻指定手段で指定された時間に記録出力を行う指定時刻出力手段とを有することを特徴とするため、送信側ファクシミリ装置と受信側の各ファクシミリ装置で時計のずれがあっても同時出力を行うことが可能となった。
【００１３】
また、本発明のファクシミリ装置は、複数のファクシミリ装置に対して順次同一データを配信する順次同報機能を備えたファクシミリ装置において、送信元ファクシミリ装置と受信先のファクシミリ装置の内部時計の時刻のずれを合わせるように補正する、時刻ずれ補正手段を有し、各受信先への記録出力時刻を同一に指定する出力時刻指定手段と前記ファクシミリ装置がデータの受信側となる際に、一旦受信データを保持して、前記出力時刻指定手段で指定された時間に記録出力を行う指定時刻出力手段とを有することを特徴とするため、送信側ファクシミリ装置と受信側の各ファクシミリ装置で時計のずれがあっても同時出力を行うことが可能となった。
【発明を実施するための最良の形態】
【００１４】
順次同報機能を備えたファクシミリ装置において、送信側ファクシミリ装置と受信側の各ファクシミリ装置で時計のずれがあると同時出力を時間のずれなしに行うということが出来ないという問題を出力時刻指定ではなく、出力待機時間を用いる方法や、内部時計のずれ分出力指定時刻を補正する方法及び内部時計を補正する方法により実現した。
【実施例１】
【００１５】
［構成］
図１は、実施例に係るファクシミリ装置の概略構成を示している。
【００１６】
ファクシミリ装置は、マイクロコンピュータ等から構成される主制御部１１によって制御される。この主制御部１１に接続される入出力機器として、ファクシミリ装置は、原稿画像を読み取る読取部１３、受信画像等を記録紙に記録する記録部１５、ワンタッチダイヤル、短縮ダイヤルを含むダイヤル入力操作を行うための操作部１７、プログラム、データ、画情報などの各種情報が記憶される記憶部１９、プログラマブルトーン送出及び検出機能を有するモデム２１、並びに回路網の制御を行う網制御部（ＮＣＵ）２３を備えている。
【００１７】
主制御部１１は、内部時計を有しており、ファクシミリ装置が送信元となる場合は、受信先のファクシミリ装置の内部時計の時刻との時刻のずれを検知する、時刻ずれ検知手段と、データの送信時に送信元と受信先のファクシミリ装置の内部時計の時刻のずれを合わせるように補正する、時刻補正手段を有する。
【００１８】
ずれを検知して、受信先のファクシミリ装置の時計を補正しない方法では、出力時刻指定手段が、受信先のファクシミリ装置の時計のずれ分、出力指定時刻を補正して複数の受信先で記録出力が同時となるように補正する。
【００１９】
また、時刻補正を行うときは、送信元のファクシミリ装置を送信前にＮＴＰ（Network  Time  Protocol）サーバに接続して内部時計の補正を行ってから、受信先ファクシミリ装置と接続して、受信先のファクシミリ装置の内部時計を補正する方法により行うことができる。
【００２０】
主制御部は、上記の方法とは別に、出力時刻指定を行わず、受信先のファクシミリ装置がファックスを受信してから指定された時間待機後に記録出力を行うように送信時に指定する、出力待機時間指定手段と受信時に前記指定された待機時間、待機する指定時間出力待機手段とを有する。
【００２１】
［フローチャート］
図２、図３のフローチャートを用いて動作の流れについて説明する。
【００２２】
まず送信側のファクシミリ装置の処理の流れについて図２のフローチャートを用いて説明する。
【００２３】
Ｓ１１：ファクシミリ装置の読取部に原稿をセットする。
【００２４】
Ｓ１３：宛先を入力する。
【００２５】
Ｓ１５：同時に記録出力させたいかどうかを設定する。同時に記録出力する場合は、動作をＳ１７に移行する。同時に記録出力しない場合は動作をＳ１９に移行する。
【００２６】
Ｓ１７：待機時間又は印字時刻を設定する。順次同報により複数の端末に送信する際に、送信するデータのサイズ、送信相手先の数、送信速度、送信プロトコルを目安に、同報するすべての相手先に送信を終えるのにかかる時間（最終送信先の終了予測時刻）を推定して、待機時間を設定する際には、各相手先の終了予測時刻と最終送信先の終了予測時刻との差に、誤差が出た際に備えた猶予時間を足した時間を待機時間として設定する。
【００２７】
印字時刻を設定する際には、上記と同じく最終送信先の終了予測時刻をデフォルトとして、ユーザの指定によりそれ以降の時刻も設定できるようにする。
【００２８】
Ｓ１９：データの送信を開始する。
【００２９】
Ｓ２１：図４の説明で後述する方法により、相手先（受信側）装置が本発明による機能を備えた装置かどうかを確認する。本発明による機能を備えていればＳ２３に動作を移行する。備えていなければ、引き続き通常の方法によりデータの送信を行い、動作を終了する。
【００３０】
Ｓ２３：Ｓ１５，Ｓ１７による流れで待機時間又は、印字時刻が設定してあるかどうかを判断する。設定済みの場合は動作をＳ２５に移行する。設定していなければ、引き続き通常の方法によりデータの送信を行い、動作を終了する。
【００３１】
Ｓ２５：図４（Ａ）の説明のところで後述する非標準機能設定信号（ＮＳＳ）に続くデータの設定により、時計のずれを通知する、時計の補正を行う、待機時間を設定する、印字時刻を設定するなどをそのときに設定された方法により行い、引き続いてデータを送信してファクシミリ通信を終了する。
【００３２】
順次同報の相手先が残っている場合には、Ｓ１５からの動作を繰り返す。
【００３３】
以上により、送信側の一連の動作を終了する。
【００３４】
次に、受信側のファクシミリ装置の処理の流れについて図３のフローチャートを用いて説明する。
【００３５】
Ｓ３１：ファクシミリ通信を着信する。
【００３６】
Ｓ３３：行われている通信が本発明による機能を備えた装置間の通信であるかどうかを判断する。備えていれば動作をＳ３５に移行する。備えていなければ動作をＳ６１に移行する。
【００３７】
Ｓ３５：図４（Ａ）に示される非標準機能設定信号（ＮＳＳ）に引き続くデータを解読し、動作が時計のずれを通知する、時計の補正を行う、待機時間を設定する、印字時刻の設定を行うかなどについて解読を行う。
【００３８】
時計のずれを通知する場合には、受信機側の内部時計の時刻を知らせる。
【００３９】
時計のずれを補正する場合には、送信機側の通知した時刻に受信機側の内部時計を合わせる。
【００４０】
Ｓ３７：待機時間又は印字時刻の指定があるかどうかを判断する。指定がある場合は動作をＳ３９に移行する。指定が無い場合は動作をＳ５１に移行する。
【００４１】
Ｓ３９：引き続きファクシミリの画像データを受信する。
【００４２】
Ｓ４１：指定された待機時間の間待機した後か、または指定された印字時刻になったらファクシミリデータの印字（記録出力）を行う。
【００４３】
Ｓ５１：Ｓ３７で待機時間又は印字時刻の指定が無かった場合は、Ｓ５１で引き続き画像データを受信する。
【００４４】
Ｓ５３：待機することなく即時にファクシミリデータの印字（記録出力）を行う。
【００４５】
Ｓ６１：Ｓ３３で、本発明の機能を備えていない装置との間の通信である場合は、引き続き画像データの受信をする。
【００４６】
Ｓ６３：待機することなく即時にファクシミリデータの印字（記録出力）を行う。
【００４７】
以上により、受信側の一連の動作を終了する。
【００４８】
［送受信プロトコル］
図４は、図１のような機能ブロックで構成された２つのファクシミリ装置（本発明実施例において、送信側のファクシミリ装置を送信局と言い、受信側のファクシミリ装置を受信局と言う場合がある。）間において、信号のやりとりを行う際の手順を示す。
【００４９】
まず、送信側と受信側の両方のファクシミリ装置が本発明による装置の場合について図４（Ａ）を用いて説明する。
【００５０】
送信局から受信局にコーリングトーン（ＣＮＧ）を送出する。
【００５１】
受信局は、コーリングトーン（ＣＮＧ）を検知すると、受信局識別信号（ＣＥＤ）を送出して、引き続き非標準機能識別信号（ＮＳＦ）、並びにデジタル識別信号（ＤＩＳ）を送出する。
【００５２】
送信局は、上記の非標準機能識別信号（ＮＳＦ）を受信すると、本発明による装置間の通信であると認識して、非標準機能設定信号（ＮＳＳ）を送信し、その信号に引き続いて、時計のずれを検知する信号や、時計のずれを補正する信号や、指定時刻に記録出力するように指定する信号や、受信後指定の時間出力を待機するように指定する信号を送信する。
【００５３】
次に送信側は、本発明によるファクシミリ装置であるが、受信側が従来のファクシミリ装置である場合について図４（Ｂ）を用いて説明する。
【００５４】
送信局から受信局にコーリングトーン（ＣＮＧ）を送出する。
【００５５】
受信局は、コーリングトーン（ＣＮＧ）を検知すると、受信局識別信号（ＣＥＤ）を送出して、引き続きデジタル識別信号（ＤＩＳ）を送出する。
【００５６】
送信局は、非標準機能識別信号（ＮＳＦ）を受信できなかったので、受信局が従来装置と認識し、デジタル識別信号（ＤＩＳ）に対しデジタル命令信号（ＤＣＳ）を送信する。
【００５７】
［実施例の効果］
本発明実施例のファクシミリ装置により、順次同報送信を行う際に最終送信先のファクシミリ装置がデータを受信し終わるまで、他の受信側ファクシミリ装置は待機して、その後同時に全送信先でのファクシミリ送信を行うことが可能となった。この場合に、待機時間の指定を行う方法や、受信側との内部時計のずれを検知する方法や、受信側の内部時計のずれを補正する方法により、送信前に送信側と受信側のファクシミリ装置に内部時計のずれがあったとしても、同時の出力が可能となった。
【００５８】
また、待機時間の指定を行う方法や、受信側の内部時計のずれを検知して、そのずれ分印字時刻をずらして同時出力を行う方法では、受信側が設定してある内部時計を変更することがないので、意図的にずらしてある場合などでも対応することが可能となった。
【００５９】
また、受信側の内部時計を補正する方法では、受信するたびに内部時計が正しく補正される効果も得られる。
【００６０】
本方式を用いることにより、例えば社内での人事の発表を全社的に同時に行いたいときなどは、全社のファクシミリ装置で一斉に情報が得られるので、産業上非常に有効である。また、株式のＩＲ情報の伝達などにも応用可能である。
【図面の簡単な説明】
【００６１】
【図１】ファクシミリ装置の機能ブロック図である（実施例１）。
【図２】送信時のフローチャートである（実施例１）。
【図３】受信時のフローチャートである（実施例１）。
【図４】送受信時のプロトコルシーケンス図である（実施例１）。
【符号の説明】
【００６２】
１１  主制御部（出力待機時間指定手段、指定時間出力待機手段、時刻ずれ検知手段、時刻ずれ補正手段、出力時刻指定手段、指定時刻出力手段）
【図１】
2008109246.tif 000003
【図２】
2008109246.tif 000004
【図３】
2008109246.tif 000005
【図４】
2008109246.tif 000006